(57)【要約】【課題】空調機のリモートコントロール装置の表示部に過去からの稼動状態の推移情報を表示させる際に、現在時刻に該当する最新の情報部分をユーザが直観的に認識しやすい状態で表示させる、空調機のリモートコントロール装置および管理情報表示方法を提供する。【解決手段】実施形態によれば空調機のリモートコントローラ装置は、表示情報生成部と、表示部とを備える。表示情報生成部は、現在時が該当する第１期間に関し、第１期間よりも短い第２期間ごとに算出した、空調機の動作に関する所定項目の積算値を示す棒グラフと、第１期間以前であり、第１期間と同じ長さの第３期間に関し、第２期間ごとに算出した当該項目の積算値を示す棒グラフとを、対応する第２期間ごとに並べてそれぞれ該当する第２期間を示す情報とともに表示させ、現在時が該当する第２期間を示す情報を強調させた表示情報を生成する。表示部は生成された表示情報を表示する。【選択図】図２
2019190750.tif 000002
【特許請求の範囲】
【請求項１】
現在時が該当する第１期間に関し、前記第１期間よりも短い第２期間ごとに算出した、空調機の動作に関する所定項目の積算値を示す棒グラフと、前記第１期間以前であり、前記第１期間と同じ長さの第３期間に関し、前記第２期間ごとに算出した、前記項目の積算値を示す棒グラフとを、対応する第２期間ごとに並べて、それぞれ該当する第２期間を示す情報とともに表示させ、現在時が該当する第２期間を示す情報を強調させた表示情報を生成する表示情報生成部と、
前記表示情報生成部で生成された表示情報を表示する表示部と
を備えることを特徴とする空調機のリモートコントロール装置。
【請求項２】
前記空調機の動作に関する所定項目は、空調機の消費電力量、二酸化炭素排出量、動作能力、電気代、または運転時間のいずれかである
ことを特徴とする請求項１に記載の空調機のリモートコントロール装置。
【請求項３】
前記表示情報生成部は、
前記第１期間として現在時が該当する１日が設定され、前記第２期間として所定時間が設定され、前記第３期間として前日が設定された第１表示パターン、
前記第１期間として現在時が該当する１日が設定され、前記第２期間として所定時間が設定され、前記第３期間として前週の中の現在日と同じ曜日の１日が設定された第２表示パターン、または、
前記第１期間として現在時が該当する１週間が設定され、前記第２期間として１日が設定され、前記第３期間として前週が設定された第３表示パターンのいずれかにより表示情報を生成する
ことを特徴とする請求項１または２に記載の空調機のリモートコントロール装置。
【請求項４】
前記第１期間の棒グラフを、前記第３期間の棒グラフよりも強調させて表示させ、前記第１期間の棒グラフの中の現在時が該当する第２期間の棒の表示情報をさらに強調させて表示させる
ことを特徴とする請求項１〜３いずれか１項に記載の空調機のリモートコントロール装置。
【請求項５】
現在時が該当する第１期間に関し、前記第１期間よりも短い第２期間ごとに算出した、空調機の動作に関する所定項目の積算値を示す棒グラフと、前記第１期間以前であり、前記第１期間と同じ長さの第３期間に関し、前記第２期間ごとに算出した、前記項目の積算値を示す棒グラフとを、対応する第２期間ごとに並べて、それぞれ該当する第２期間を示す情報とともにリモートコントロール装置の表示部に表示させ、表示させた情報内の現在時が該当する第２期間を示す情報を強調させる
ことを特徴とする空調機の管理情報表示方法。
【発明の詳細な説明】
【技術分野】
【０００１】
本発明の実施形態は、空調機のリモートコントロール装置および管理情報表示方法に関する。
【背景技術】
【０００２】
従来、空調機に接続されたリモートコントロール装置には表示部が設置されている。当該表示部には、当該空調機の現在の稼動状態のみならず、過去の稼動状態に関する情報、例えば所定時間ごとの消費電力量の推移情報を表示させることができる。
【０００３】
リモートコントロール装置に当該空調機の消費電力量の推移情報を表示させることにより、ユーザは当該情報を参照して以降の空調機の運転内容を検討することができる。
【先行技術文献】
【特許文献】
【０００４】
【特許文献１】特開２０１１−１４５０３８号公報
【発明の概要】
【発明が解決しようとする課題】
【０００５】
一般的に、空調機は設置される場所や用途に応じて運転内容がパターン化されていることが多い。例えば、夏季のオフィスビルでは、平日の朝の出勤時間帯から冷房運転が開始され、日中の気温が高い時間帯には高負荷で運転され、退勤時間後には停止される。
【０００６】
そのため、空調機の消費電力量の推移情報として、直近の過去の情報だけではなく、前日や過去の同じ曜日の日の情報も併せて表示させることで、ユーザは現在の稼動状態をより高い精度で認識することができる。
【０００７】
これらの情報を併せて表示させると、ユーザは現在の稼動状態と過去の同じ時間帯の稼動状態とを比較しやすくなるが、表示情報が多くなるため、表示された中から現在時刻に該当する最新の情報部分を直観的に認識することが困難になるという問題があった。
【０００８】
発明は上記事情に鑑みてなされたものであり、空調機のリモートコントロール装置の表示部に過去からの稼動状態の推移情報を表示させる際に、現在時刻に該当する最新の情報部分をユーザが直観的に認識しやすい状態で表示させる、空調機のリモートコントロール装置および管理情報表示方法を提供することを目的とする。
【課題を解決するための手段】
【０００９】
上記目的を達成するために、実施形態に係る空調機の管理情報表示装置は、実施形態によれば空調機のリモートコントローラ装置は、表示情報生成部と、表示部とを備える。表示情報生成部は、現在時が該当する第１期間に関し、第１期間よりも短い第２期間ごとに算出した、空調機の動作に関する所定項目の積算値を示す棒グラフと、第１期間以前であり、第１期間と同じ長さの第３期間に関し、第２期間ごとに算出した当該項目の積算値を示す棒グラフとを、対応する第２期間ごとに並べてそれぞれ該当する第２期間を示す情報とともに表示させ、現在時が該当する第２期間を示す情報を強調させた表示情報を生成する。表示部は、生成された表示情報を表示する。
【図面の簡単な説明】
【００１０】
【図１】本発明の一実施形態に係るリモートコントロール装置を利用した空調システムを示す全体図である。
【図２】本発明の一実施形態に係るリモートコントロール装置を利用した空調システムを示すブロック図である。
【図３】本発明の一実施形態に係るリモートコントロール装置で実行されるデータ収集処理の動作を示すフローチャートである。
【図４】本発明の一実施形態に係るリモートコントロール装置の表示部に表示されたメニュー画面の一例である。
【図５Ａ】本発明の一実施形態に係るリモートコントロール装置で実行される消費電力量表示画面生成処理の動作を示すフローチャートである。
【図５Ｂ】本発明の一実施形態に係るリモートコントロール装置で実行される消費電力量表示画面生成処理の動作を示すフローチャートである。
【図６】本発明の一実施形態に係るリモートコントロール装置の表示部に表示パターン(1)で表示された消費電力量表示画面の一例である。
【図７】本発明の一実施形態に係るリモートコントロール装置の表示部に表示パターン(2)で表示された消費電力量表示画面の一例である。
【図８】本発明の一実施形態に係るリモートコントロール装置の表示部に表示パターン(3)で表示された消費電力量表示画面の一例である。
【図９】本発明の一実施形態に係るリモートコントロール装置の表示部に表示パターン(1)で表示された消費電力量表示画面の他の例である。
【図１０】本発明の一実施形態に係るリモートコントロール装置の表示部に表示パターン(1)で表示された他の形態の消費電力量表示画面の一例である。
【発明を実施するための形態】
【００１１】
〈一実施形態によるリモートコントロール装置を用いた空調システムの構成〉
本発明の一実施形態によるリモートコントロール装置を用いた空調システムの構成について、図１を参照して説明する。本実施形態による空調システム１は、空調室外機（以下、「室外機」と記載する）１０と、室外機１０に冷媒配管X1および通信線Y1で接続された空調室内機（以下、「室内機」と記載する）２０と、室内機２０に通信線Y2または無線で通信可能に接続されたリモートコントロール装置３０とを備える。室外機１０、室内機２０、およびリモートコントロール装置３０の詳細な構成について、図２を参照して説明する。
【００１２】
室外機１０は、第１電力センサ１１と、第１データ取得部１２と、第１通信部１３と、第１データ記憶部１４と、第１運転制御部１５とを有する。第１電力センサ１１は、室外機１０内の消費電力量を計測する。第１データ取得部１２は、第１電力センサ１１で計測された消費電力量データ（室外機消費電力量データ）を取得する。第１通信部１３は、室内機２０との通信を行う。第１データ記憶部１４は、第１データ取得部１２で取得された室外機消費電力量データを記憶する。また第１データ記憶部１４は、室内機２０の稼動状態を示す室内機稼動状態データを、室内機２０から第１通信部１３を介して受信し記憶する。第１運転制御部１５は、第１データ記憶部１４に記憶された室内機稼動状態データに基づいて、必要な冷媒を生成するように室外機１０内の機器の動作を制御する。
【００１３】
室内機２０は、第２電力センサ２１と、第２データ取得部２２と、第２通信部２３と、第２データ記憶部２４と、第２運転制御部２５とを有する。第２電力センサ２１は、室内機２０内の消費電力量を計測する。第２データ取得部２２は、第２電力センサ２１で計測された消費電力量データ（室内機消費電力量データ）を取得する。第２通信部２３は、室外機１０およびリモートコントロール装置３０との通信を行う。第２データ記憶部２４は、リモートコントロール装置３０から送信された運転に関する指示データを、第２通信部２３を介して受信し記憶する。また第２データ記憶部２４は、第２通信部２３を介して室外機１０から室外機消費電力量データを取得し、第２データ取得部２２で取得された室内機消費電力量データと、対応する時間ごとに合算して空調機消費電力量データとして記憶する。第２運転制御部２５は、第２データ記憶部２４に記憶された運転に関する指示データに基づいて、室内機２０内の機器の動作を制御する。
【００１４】
リモートコントロール装置３０は、計時部３１と、入力部３２と、第３通信部３３と、データ処理部３４と、第３データ記憶部３５と、表示情報生成部３６と、表示部３７とを有する。
【００１５】
計時部３１は、リモートコントロール装置３０の内部時計であり、現在時刻を計時する。入力部３２は、図１に示すように、「運転／停止」ボタン３２１、「Ｆ１」ボタン３２２、「Ｆ２」ボタン３２３、上矢印ボタン３２４、下矢印ボタン３２５、「モニター」ボタン３２６、「メニュー」ボタン３２７、および「戻る」ボタン３２８とで構成される。各ボタンは、ユーザにより操作されると、該当する操作情報を入力する。なお、「戻る」ボタン３２８は、操作されると、その前の表示に戻るものである。
【００１６】
第３通信部３３は、室内機２０との通信を行う。データ処理部３４は、計時部３１で計時された現在時刻から、予め設定されたデータ収集タイミングが到来したと判定すると、第３通信部３３を介して室内機２０から空調機消費電力量データを収集する。またデータ処理部３４は、入力部３２から入力されたユーザの操作情報に基づいて空調システム１内の運転に関する指示データを生成し、第３通信部３３を介して室内機２０に送信する。第３データ記憶部３５は、データ処理部３４で収集された空調機消費電力量データを記憶する。
【００１７】
表示情報生成部３６は、空調システム１の稼動中、ユーザによりリモートコントロール装置３０の操作が行われていないときには、室内機２０の稼動状態を示す状態表示画面情報を生成する。また、表示情報生成部３６は、ユーザの操作により、入力部３２から空調機の動作に関する所定項目の表示指示情報が入力されると、該当する項目に関する表示画面情報を生成する。表示部３７は、表示情報生成部３６生成された表示画面情報を表示する。
【００１８】
〈一実施形態による空調システムの動作〉
次に、本実施形態による空調システム１の動作について説明する。本実施形態において、空調システム１の稼動中は、室外機１０の第１データ取得部１２において、第１電力センサ１１で計測された室外機消費電力量データが所定時間間隔（例えば、１秒間隔）で取得され、第１データ記憶部１４に記憶されている。また、室内機２０の第２データ取得部２２において、第２電力センサ２１で計測された室内機消費電力量データが所定時間間隔（例えば、１秒間隔）で取得され、第２データ記憶部２４に記憶されている。
【００１９】
また、室外機１０の第１データ記憶部１４に記憶された室外機消費電力量データは、所定時間間隔（例えば、５分間隔）で第１通信部１３を介して室内機２０に送信される。室内機２０では、室外機１０から送信された室外機消費電力量データが第２通信部２３を介して第２データ記憶部２４で取得され、既に記憶されている室内機消費電力量データと、対応する時間ごとに合算されて空調機消費電力量データとして記憶される。
【００２０】
また、室内機２０に記憶された空調機消費電力量データは、所定時間間隔でリモートコントロール装置３０により収集される。その一例として、リモートコントロール装置３０により３０分間隔で空調機消費電力量データが収集される場合に実行される処理ついて、図３のフローチャートを参照して説明する。リモートコントロール装置３０のデータ処理部３４には、データ収集タイミングとして「毎時30分」および「毎時0分」が設定されている。
【００２１】
リモートコントロール装置３０では、データ処理部３４において、計時部３１で計時された現在時刻の「分」が「30」または「0」になったか、つまりデータ収集タイミングが到来したか否かが監視される（Ｓ１）。現在時刻の「分」が「30」または「0」になりデータ収集タイミングが到来したと判定されると（Ｓ１の「YES」）、データ処理部３４により第３通信部３３、室内機２０の第２通信部２３を介して、第２データ記憶部２４から空調機消費電力量データが収集される（Ｓ２）。ここで収集される空調機消費電力量データは、前回のデータ収集タイミングから現在までの３０分間の空調機消費電力量データである。
【００２２】
データ処理部３４で収集された空調機消費電力量データは１時間ごとに積算され、第３データ記憶部３５に記憶される（Ｓ３）。その後ステップＳ１に戻り、３０分後に再度、空調機消費電力量データの収集処理が行われる。
【００２３】
また、空調システム１の稼動中、ユーザによりリモートコントロール装置３０の操作が行われていない間は、表示情報生成部３６により室内機２０の稼動状態を示す状態表示画面が生成され、表示部３７に表示される。状態表示画面には、例えば図１に示すように、室内機２０の設定温度情報「２３℃」を表示する設定温度情報表示部３７１と、現在「Ｆ１」ボタン３２２に対応している操作内容（図１では「運転切換」）を表示するＦ１対応情報表示部３７２と、現在「Ｆ２」ボタン３２３に対応している操作内容（図１では、「風速切換」）を表示するＦ２対応情報表示部３７３とが含まれる。
【００２４】
また、空調システム１の稼動中に、ユーザによりリモートコントロール装置３０で当該空調システム１の運転に関する操作が行われると、当該操作に基づく運転指示データが室内機２０に送信され、これに基づいて室内機２０および室外機１０の運転が制御される。
【００２５】
例えば、リモートコントロール装置３０の入力部３２内の「Ｆ１」ボタン３２２が操作されると当該操作情報が入力され、データ処理部３４により運転モード切り替え指示データが生成されて室内機２０に送信される。そして、室内機２０の第２運転制御部２５において、取得された運転モード切替指示データに基づいて、運転モード（冷房モード、暖房モード、除湿モード等）が切り替えられる。
【００２６】
また、空調システム１の稼動中に、ユーザによりリモートコントロール装置３０で当該空調システム１の消費電力量の表示を指示する操作が行われたときの処理について説明する。
【００２７】
まず、ユーザがリモートコントロール装置３０の「メニュー」ボタン３２７を操作すると、表示部３７に、図４に示すようなメニュー画面が表示される。当該メニュー画面には、操作可能な機能項目として、「１．風向切替」、「２．ルーバー設定」・・・「１４．消費電力量表示」等が表示されている。
【００２８】
このメニュー画面の下部には、Ｆ２対応情報表示部３７３が表示され、このＦ２対応情報表示部３７３には、当該メニュー画面表示時に「Ｆ２」ボタン３２３に対応した操作内容として「設定」が表示されている。
【００２９】
メニュー画面が表示された状態で、ユーザが上矢印ボタン３２４または下矢印ボタン３２５を操作してメニュー画面の中から「１４．消費電力量表示」を選択し、「Ｆ２」ボタン３２３を操作すると、当該機能が実行対象として設定される。「１４．消費電力量表示」が実行対象として設定されると、消費電力量の表示指示情報が表示情報生成部３６に入力され、消費電力量表示画面が生成される。
【００３０】
表示情報生成部３６で生成される消費電力量表示画面は、現在時が該当する第１期間に関し、当該第１期間よりも短い第２期間ごとに算出した消費電力量積算値を示す棒グラフと、当該第１期間以前であり、当該第１期間と同じ長さの第３期間に関し、第２期間ごとに算出した消費電力量積算値を示す棒グラフとを、対応する第２期間ごとに並べて、それぞれ該当する第２期間を示す情報とともに表示させるように生成される。その際、現在時が該当する第２期間を示す情報が強調されるように、表示情報が生成される。
【００３１】
表示情報生成部３６で消費電力量表示画面が生成されるときの詳細な処理について、図５Ａ、５Ｂのフローチャートを参照して説明する。
【００３２】
消費電力量表示画面の生成処理が開始されると、予め設定された表示パターン(1)〜(3)のいずれかによる消費電力量画面の表示情報が生成される。表示パターン(1)では、第１期間として「現在時が該当する日（今日）」が設定され、第２期間として「２時間」が設定され、第３期間として「現在時が該当する日の前日（昨日）」が設定され、ている。そして、今日の２時間ごとの消費電力量積算値を示す棒グラフと、昨日の２時間ごとの消費電力量積算値を示す棒グラフとが、対応する時間帯ごとに並べて表示される。
【００３３】
また、表示パターン(2)においては、第１期間として「現在時が該当する日（今日）」が設定され、第２期間として「２時間」が設定され、第３期間として「前週の現在日と同じ曜日の日（先週同曜日）」が設定されている。そして、今日の２時間ごとの消費電力量積算値を示す棒グラフと、先週同曜日の２時間ごとの消費電力量積算値を示す棒グラフとが、対応する時間帯ごとに並べて表示される。
【００３４】
また、表示パターン(3)では、第１期間として「現在時が該当する週（今週）」が設定され、第２期間として「１日」が設定され、第３期間として「現在時が該当する週の前週（先週）」が設定されている。そして、今週の曜日ごとの消費電力量積算値を示す棒グラフと、先週の曜日ごとの消費電力量積算値を示す棒グラフとが、対応する曜日ごとに並べて表示される。
【００３５】
ここでは、デフォルト表示として予め設定された、表示パターン(1)による消費電力量表示画面が生成される場合について説明する。以下、１日の中の２時間ごとの時間帯に関し、０時〜２時の時間帯を「T_data=0」とし、２時〜４時の時間帯を「T_data=1」とし、４時〜６時の時間帯を「T_data=2」とし、・・・２０時〜２２時の時間帯を「T_data=10」とし、２２時〜２４時の時間帯を「T_data=11」として説明する。
【００３６】
まず、当該処理開始時に表示部３７に表示させていた表示画面情報が初期化され（Ｓ１１）、第３データ記憶部３５に記憶されたデータの中から、現在時が該当する日（今日）の１時間ごとの消費電力量積算値が取得される。そして、取得されたデータから、今日の２時間ごと（T_data=0〜T_data=11）の消費電力量積算値が算出される。同様に、昨日の１時間ごとの消費電力量積算値が取得され、２時間ごとの消費電力量積算値が算出される（Ｓ１２）。ここで、現在時が該当する時間帯の消費電力量積算値は、当該時間帯の開始時刻が経過した直後は0に近い値であり、時間の経過とともに最新のデータに更新されて増加する。また、今日のまだ到来していない時間帯の消費電力量積算値は0である。
【００３７】
次に、表示部３７の大きさと現在表示対象としている表示パターンの設定内容とに基づいて、表示する棒グラフ内の各棒の表示幅および表示位置が決定される（Ｓ１３）。ここでは、表示パターン(1)により、今日の各時間帯T_data=0〜T_data=11それぞれの消費電力量積算値に対応する棒が１２本、昨日の各時間帯T_data=0〜T_data=11それぞれの消費電力量積算値に対応する棒が１２本の計２４本の棒を時間帯ごとに並べた棒グラフが表示部３７に表示されるように、各棒の表示幅および表示位置が決定される。
【００３８】
次に、当該棒グラフのＸ軸の目盛として、各時間帯の表示情報が生成される。当該表示情報の生成処理では、まず処理対象とする時間帯が特定される（Ｓ１４）。ここでは、時間帯「T_data=0」が処理対象として特定される（Ｓ１４）。
【００３９】
次に、現在表示情報の生成処理対象としている時間帯が、当該表示パターン(1)で表示させる時間帯数の最大値以下であるかが判定される（Ｓ１５）。表示パターン(1)においては、時間帯数の最大値は、第１期間である24時間および第２期間から算出された「11」である。ここでは、現在処理対象としている時間帯「T_data=0」は「11」以下であるため（Ｓ１５の「YES」）ステップＳ１６に移行し、時間帯「T_data=0」に対応する目盛位置に表示させる情報として、表示情報「0」が生成される（Ｓ１６）。
【００４０】
そして、計時部３１から現在時刻情報が取得され、現在時刻が当該時間帯「T_data=0」に該当するか否か判定される（Ｓ１７）。ここで、現在時刻が当該時間帯「T_data=0」に該当すると判定されると（Ｓ１７の「YES」）、生成した表示情報「0」が太字や強調色で強調して表示されるように変更される（Ｓ１８）。現在時刻が当該時間帯「T_data=0」に含まれないと判定されたときには（Ｓ１７の「NO」）、ステップＳ１８は実行されずにステップＳ１９に移行する。
【００４１】
ステップＳ１９では、Ｘ軸目盛の表示情報の生成処理対象が１つ後の時間帯に移行され、「T_data=0」から「T_data=1」に変更される（Ｓ１９）。
【００４２】
以降、ステップＳ１５に戻り、時間帯「T_data=11」に対応する表示情報「11」が生成されるまでステップＳ１５〜Ｓ１９の処理が繰り返される。処理が繰り返されて、ステップＳ１５で処理対象の時間帯が「T_data=12」であると判定されると（Ｓ１５の「NO」）には、Ｘ軸目盛表示情報の生成処理を終了し、図５ＢのステップＳ２０に移行する。
【００４３】
ステップＳ２０以降では、当該棒グラフを構成する各棒の表示情報が生成される。当該表示情報の生成処理では、まず、処理対象とする時間帯が特定される（Ｓ２０）。ここでは、時間帯「T_data=0」が処理対象として特定される（Ｓ２０）。
【００４４】
次に、現在表示情報の生成処理対象としている時間帯が、当該表示パターン(1)で表示させる時間帯数の最大値「11」以下であるかが判定される（Ｓ２１）。ここでは、現在処理対象としている時間帯「T_data=0」は「11」以下であるため（Ｓ２１の「YES」）、ステップＳ２２に移行し、時間帯「T_data=0」に該当する今日の消費電力量積算値および昨日の消費電力量積算値を示す２本棒の表示情報が生成される（Ｓ２２）。ここでは、今日の消費電力量積算値を示す棒が前日の消費電力量積算値を示す棒よりも強調された線や色で、表示情報が生成される。
【００４５】
当該時間帯「T_data=0」に該当する棒の表示情報が生成されると、棒の表示情報の生成処理対象が１つ後の時間帯に移行され、「T_data=0」から「T_data=1」に変更される（Ｓ２３）。
【００４６】
以降、ステップＳ２１に戻り、時間帯「T_data=11」に該当する棒の表示情報が生成されるまでステップＳ２１〜Ｓ２３の処理が繰り返される。処理が繰り返されて、ステップＳ２１で処理対象の時間帯が「T_data=12」であると判定されたとき（Ｓ２１の「NO」）には、処理を終了する。生成された消費電力量表示画面は、表示部３７に表示される。
【００４７】
表示部３７に表示された、表示パターン(1)の消費電力量表示画面の一例を、図６に示す。図６の消費電力量表示画面には、２時間単位の時間帯ごとに、今日の消費電力量積算値を示す棒と昨日の消費電力量積算値を示す棒とが並べられて構成された棒グラフが表示されている。昨日の消費電力量積算値を示す棒の内部は白色であり、今日の消費電力量積算値を示す棒の内部が黒色で昨日の消費電力量積算値を示す棒よりも強調されて表示されている。また、棒グラフのＸ軸を示す目盛として表示されている時間帯の情報のうち、現在時刻が該当する８〜１０時の時間帯「T_data=4」の表示エリア内が黒色であり、白抜き文字で該当する表示情報「8」が表示され、他の時間帯の情報よりも強調されて表示されている。このように現在時刻が該当する時間帯の表示情報が強調されることで、ユーザが当該消費電力量表示画面を見たときに、直観的に現在時刻に該当する情報の位置を認識することができる。現在時刻が該当する時間帯以降の時間帯（10時〜24に該当する「T_data=5」〜「T_data=11」）については、今日の消費電力量積算値は0であるため、該当する棒は表示されない。
【００４８】
図６において、Ｆ１対応情報表示部３７２には左矢印が表示され、Ｆ２対応情報表示部３７３には右矢印が表示されている。ユーザがこの表示を視認して、「Ｆ１」ボタン３２２または「Ｆ２」ボタン３２３を操作すると、消費電力量表示画面の表示パターンが切り替えられる。
【００４９】
例えば、ユーザが「Ｆ２」ボタン３２３を操作すると、表示パターン(2)により、今日の２時間ごとの消費電力量積算値を示す棒グラフと、前週同曜日の２時間ごとの消費電力量積算値を示す棒グラフとが、対応する時間帯ごとに並べて表示される消費電力量表示画面が生成され、表示部３７に表示される。表示パターン(2)により表示された消費電力量表示画面の一例を、図７に示す。
【００５０】
図７の消費電力量表示画面では、図６と同様に、今日の消費電力量積算値を示す棒と、現在時刻が該当する表示情報「8」が強調されて表示されている。
【００５１】
また、表示パターン(2)の消費電力量表示画面が表示されている状態で、さらにユーザが「Ｆ２」ボタン３２３を操作すると、表示パターン(3)により、今週の曜日ごとの消費電力量積算値を示す棒グラフと、先週の曜日ごとの消費電力量積算値を示す棒グラフとが、対応する曜日ごとに並べて表示された消費電力量表示画面が生成され、表示部３７に表示される。表示パターン(3)により表示された消費電力量表示画面の一例を、図８に示す。
【００５２】
図８の消費電力量表示画面では、今週の消費電力量積算値を示す棒と、現在時が該当する表示情報「木曜日」が強調されて表示されている。表示パターン(3)の消費電力量表示画面が表示されている状態で、ユーザが「Ｆ１」ボタン３２２を操作すると、表示パターン(2)の消費電力量表示画面が表示されるように切り替えられる。
【００５３】
また、上述したように生成される消費電力量表示画面において、棒グラフ内の現在時刻が該当する棒および対応する時間帯を示す情報を、さらに強調した形状や色調で表示させるようにしてもよい。
【００５４】
例えば、図９に示すように、表示パターン(1)で表示させた消費電力量表示画面において、現在時刻が該当する時間帯を示す表示情報「8」と、現在時刻が該当する時間帯の今日の消費電力量積算値を示す棒の表示情報とを、他の時間帯の今日の消費電力量積算値を示す黒色の棒の表示情報（「T_data=0」〜「T_data=3」に対応する棒の表示情報）と異なるグレー色で表示させることで、さらに強調されて表示される。
【００５５】
以上の実施形態によれば、空調機のリモートコントロール装置の表示部に過去からの消費電力量の推移情報を表示させる際に、現在時刻に該当する最新の情報部分をユーザが直観的に認識しやすい状態で表示させることができる。
【００５６】
特に、現在時刻が該当する時間帯までの複数の時間帯で消費電力量積算値が「0」の状態が続き、表示された棒グラフからは現在時刻に該当する最新の情報部分を認識し難い場合であっても、現在時刻が該当する時間帯の情報部分を容易に認識することができる。例えば、図１０の消費電力量表示画面で示すように、今日の消費電力量積算値のうち、時間帯「T_data=2」から現在時刻が該当する時間帯「T_data=8」まで消費電力量積算値が「0」の状態が続いている場合は、棒グラフからは現在時刻に該当する時間帯の情報部分を認識し難い。しかし、ここで時間帯「T_data=8」のＸ軸目盛表示情報「8」が黒白反転により強調されて表示されているため、この表示情報部分が現在時刻が該当する部分であることを容易に認識することができる。
【００５７】
このように消費電力量の推移情報を表示させることにより、現在時が該当する時間帯までの複数の時間帯で消費電力量積算値が「0」の状態が続いた場合であっても、現在時刻が該当する最新の情報部分を、例えば図１０に示すように、今日の消費電力量積算値のうち現在時刻が該当する。
【００５８】
上述した実施形態においては、リモートコントロール装置３０の表示部３７に消費電力量の所定時間ごとの積算値を示す棒グラフを表示させる場合について説明したが、当該空調システム１内で計測した空調機の動作に関する他の項目、例えば、二酸化炭素排出量、動作能力、電気代、または運転時間の所定時間ごとの積算値を示す棒グラフを表示させるようにしてもよい。
【００５９】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６０】
１…空調システム、１０…空調室外機（室外機）、１１…第１電力センサ、
１２…第１データ取得部、１３…第１通信部、１４…第１データ記憶部、
１５…第１運転制御部、２０…空調室内機（室内機）、２１…第２電力センサ、
２２…第２データ取得部、２３…第２通信部、２４…第２データ記憶部、
２５…第２運転制御部、３０…リモートコントロール装置、３１…計時部、
３２…入力部、３３…第３通信部、３４…データ処理部、３５…第３データ記憶部、
３６…表示情報生成部、３７…表示部、３２１…「運転／停止」ボタン、
３２２…「Ｆ１」ボタン、３２３…「Ｆ２」ボタン、３２４…上矢印ボタン、
３２５…下矢印ボタン、３２６…「モニター」ボタン、３２７…「メニュー」ボタン、
３２８…「戻る」ボタン、３７１…設定温度情報表示部、
３７２…Ｆ１対応情報表示部、３７３…対応情報表示部
【図１】
2019190750.tif 000003
【図２】
2019190750.tif 000004
【図３】
2019190750.tif 000005
【図４】
2019190750.tif 000006
【図５Ａ】
2019190750.tif 000007
【図５Ｂ】
2019190750.tif 000008
【図６】
2019190750.tif 000009
【図７】
2019190750.tif 000010
【図８】
2019190750.tif 000011
【図９】
2019190750.tif 000012
【図１０】
2019190750.tif 000013